(57)【要約】【課題】人工気道が接続される呼吸用温湿度交換器であって、呼気とともに吐出される分泌物等が湿熱蓄積体に付着するのを抑制して、湿熱蓄積体を安定して使用可能な呼吸用温湿度交換器を提供すること。【解決手段】人工気道が接続される呼吸用温湿度交換器１であって、前記人工気道が接続される第１開口部２１が形成された患者側管２０と、前記患者側管２０と間隙をあけて第２開口部２２側に伸びる保持壁部３５と、前記保持壁部３５と間隙をあけて前記第３開口部３５Ａ側に伸びるハウジング本体３０と、流通孔とを有するハウジング１０と、湿熱蓄積体６０と、収納容器５０と、を備え、湿熱蓄積体６０を介して第１開口部２１と第４開口部３４Ａとを流通可能に構成されていることを特徴とする。【選択図】図６
2017113161.tif 000002
【特許請求の範囲】
【請求項１】
人工気道に接続されて、患者の呼気に含まれる水分と熱を吸気に還元するための呼吸用温湿度交換器であって、
第１端側に前記人工気道を接続する第１開口部が形成されるとともに第２端側に第２開口部が形成され、前記第１開口部と第２開口部との間で呼吸気の流通を可能とする第１管路を形成する第１管と、前記第１開口部近傍で前記第１管の外周面に連接されて前記第１管と間隙をあけて前記第２開口部側に向かって筒状に伸び前記第２開口部側に第３開口部が開口された第２管路を形成する第２管と、前記第１開口部近傍で前記第１管又は前記第２管の外周面に連接されて前記第２管と間隙をあけて前記第３開口部側に向かって筒状に伸び前記第３開口部側に第４開口部が開口された第３管路を形成するハウジング本体と、前記ハウジング本体の内部において前記第２管路と前記第３管路とを流通可能とする流通孔と、を有するハウジングと、
前記第１管路と前記第２管路との呼吸気の流通を可能にした状態で前記第２管の第３開口部を外部に対して閉塞し、呼気に含まれる分泌物を捕捉する吐出物捕捉部材と、
前記第３管路に配置され前記ハウジング本体内の前記流通孔側に位置される第１端部と前記第４開口部側に位置される第２端部との間で呼吸気が流通可能とされた筒状の湿熱蓄積体と、
を備えていることを特徴とする呼吸用温湿度交換器。
【請求項２】
請求項１に記載の呼吸用温湿度交換器であって、
前記吐出物捕捉部材は、
前記第２管の第３開口部と着脱可能に構成されていることを特徴とする呼吸用温湿度交換器。
【請求項３】
請求項１又は２に記載の呼吸用温湿度交換器であって、
前記吐出物捕捉部材は、
収納容器であることを特徴とする呼吸用温湿度交換器。
【請求項４】
請求項３に記載の呼吸用温湿度交換器であって、
前記収納容器は、
収納部の底部が前記第４開口部を超えない範囲で外周に向かって膨出し、
前記第２開口部の対向する部位に、前記第２開口部側に向かって突出する突出部が形成されていることを特徴とする呼吸用温湿度交換器。
【請求項５】
請求項１又は２に記載の呼吸用温湿度交換器であって、
前記吐出物捕捉部材は、
吐出物捕捉弁であることを特徴とする呼吸用温湿度交換器。
【請求項６】
請求項１から５のいずれか１項に記載の呼吸用温湿度交換器であって、
前記第１管には、第１開口部と第２開口部の間に屈曲部が形成されていて、前記第１管の第１開口部側は、前記ハウジング本体の筒状に伸びる部分に対して９０°未満の傾斜角で傾斜して形成されていることを特徴とする呼吸用温湿度交換器。
【請求項７】
請求項１から６のいずれか１項に記載の呼吸用温湿度交換器であって、
前記ハウジング本体は、前記湿熱蓄積体の第２端部と前記第４開口部との間に酸素を供給する酸素供給部が形成されていることを特徴とする呼吸用温湿度交換器。
【請求項８】
請求項１から７のいずれか１項に記載の呼吸用温湿度交換器であって、
前記第１管には、
前記第１開口部と対向する位置に、吸引用チューブを挿入する吸引窓が形成されていて、前記吸引窓にはフィルム状の柔軟性を有する平板基板に開閉可能な切込みが形成された吸引窓シール部材が配置されていることを特徴とする呼吸用温湿度交換器。
【請求項９】
請求項１から７のいずれか１項に記載の呼吸用温湿度交換器であって、
前記第１管には、
前記第１開口部と対向する位置に、吸引用チューブを挿入する吸引窓が形成されていて、前記吸引窓には吸引窓密封蓋が配置されていることを特徴とする呼吸用温湿度交換器。
【請求項１０】
請求項１から９のいずれか１項に記載の呼吸用温湿度交換器であって、
前記第１管の第１開口部には、前記人工気道が接続された際にこれらを外方から付勢する付勢部材が配置されていることを特徴とする呼吸用温湿度交換器。
【発明の詳細な説明】
【技術分野】
【０００１】
本発明は、気管切開チューブ等の人工気道に接続され、患者の呼気が含む水分と熱を吸気に戻すための呼吸用温湿度交換器に関する。
【背景技術】
【０００２】
周知のように、呼吸機能の不十分な患者が、口や鼻から空気を取り込むことなく呼吸できるようにするために、患者に気管切開術を施して、その切開部へ気管切開チューブの先端を挿入することにより呼吸を可能とする気管切開チューブが広く用いられている（例えば、特許文献１参照。）。
【０００３】
患者が、気管切開チューブを通じて、鼻腔または口腔および咽頭を介さずに呼吸する場合、乾燥した空気を長時間吸い込むと、気管の粘膜を傷めたり、痰の粘稠度が増すなどの変調を来し、気管を痛める可能性があるため吸気は適切な湿度を含んでいることが望ましい。
【０００４】
そこで、吸気の湿度調整を効率的に行うために、気管切開チューブ（二重構造を有する気管切開チューブのインナーカニューレを含む）に装着される呼吸用温湿度交換器（いわゆる人工鼻）が広く用いられている（例えば、特許文献２参照。）。
【先行技術文献】
【特許文献】
【０００５】
【特許文献１】特開２００２−３４５９６１号公報
【特許文献２】特開２００６−１３６４６１号公報
【発明の概要】
【発明が解決しようとする課題】
【０００６】
しかしながら、患者が呼吸用温湿度交換器を通じて呼吸をする場合に、痰等の分泌物が多く吐出されると、これら分泌物が湿熱蓄積体に付着して、通気路を塞ぎ、呼吸の障害となる場合がある。通気路が狭窄または閉塞した人工鼻は、速やかに新しい人工鼻に交換することが必要である。
【０００７】
また、人工鼻は２４時間迄の連続使用（１日１回交換)を通例としているが、痰の吐出量が多い患者は交換時期を早めなければならず、人工鼻の使用量が増えて経済的負担を増大するばかりでなく、自ら人工鼻を着脱出来ない患者等の場合は、常に監視をする必要がある。
【０００８】
そこで、患者が呼吸用温湿度交換器を通じて呼吸する場合に、痰等の分泌物が吐出されても、湿熱蓄積体を長時間にわたって安定して使用することができる呼吸用温湿度交換器に対する技術的要請がある。
【０００９】
本発明は、このような事情を考慮してなされたものであり、気管切開チューブ等の人工気道が接続されて、患者の呼気が含む水分を吸気に還元するための呼吸用温湿度交換器であって、呼気とともに吐出される分泌物が湿熱蓄積体に付着するのを抑制して、湿熱蓄積体を長時間にわたって安定して使用することが可能な呼吸用温湿度交換器を提供することを目的とする。
【課題を解決するための手段】
【００１０】
上記課題を解決するために、この発明は以下の手段を提案している。
請求項１に記載の発明は、人工気道に接続されて、患者の呼気に含まれる水分と熱を吸気に還元するための呼吸用温湿度交換器であって、第１端側に前記人工気道を接続する第１開口部が形成されるとともに第２端側に第２開口部が形成され、前記第１開口部と第２開口部との間で呼吸気の流通を可能とする第１管路を形成する第１管と、前記第１開口部近傍で前記第１管の外周面に連接されて前記第１管と間隙をあけて前記第２開口部側に向かって筒状に伸び前記第２開口部側に第３開口部が開口された第２管路を形成する第２管と、前記第１開口部近傍で前記第１管又は前記第２管の外周面に連接されて前記第２管と間隙をあけて前記第３開口部側に向かって筒状に伸び前記第３開口部側に第４開口部が開口された第３管路を形成するハウジング本体と、前記ハウジング本体の内部において前記第２管路と前記第３管路とを流通可能とする流通孔と、を有するハウジングと、前記第１管路と前記第２管路との呼吸気の流通を可能にした状態で前記第２管の第３開口部を外部に対して閉塞し、呼気に含まれる分泌物を捕捉する吐出物捕捉部材と、前記第３管路に配置され前記ハウジング本体内の前記流通孔側に位置される第１端部と前記第４開口部側に位置される第２端部との間で呼吸気が流通可能とされた筒状の湿熱蓄積体と、を備えていることを特徴とする。
【００１１】
この発明に係る呼吸用温湿度交換器によれば、第１端側に人工気道を接続する第１開口部が形成されるとともに第２端側に第２開口部が形成され、第１開口部と第２開口部との間で呼吸気の流通を可能とする第１管路を形成する第１管と、第１開口部近傍で第１管の外周面に連接されて第１管と間隙をあけて第２開口部側に向かって筒状に伸び第２開口部側に第３開口部が開口された第２管路を形成する第２管と、第１開口部近傍で第１管又は第２管の外周面に連接されて第２管と間隙をあけて第３開口部側に向かって筒状に伸び第３開口部側に第４開口部が開口された第３管路を形成するハウジング本体と、ハウジング本体の内部において第２管路と第３管路とを流通可能とする流通孔と、を有するハウジングと、第１管路と第２管路との呼吸気の流通を可能にした状態で第２管の第３開口部を外部に対して閉塞し、呼気に含まれる分泌物を捕捉する吐出物捕捉部材と、第３管路に配置されハウジング本体内の流通孔側に位置される第１端部と第４開口部側に位置される第２端部との間で呼吸気が流通可能とされた筒状の湿熱蓄積体と、を備えているので、（ハウジングに吐出物捕捉部材を連接した状態で、）第１開口部と第４開口部との間で呼吸気の流通を可能とされるとともに、痰等の分泌物が人工気道を通じて呼気とともに吐出された場合に、第１管路を通じて第２開口部から排出された分泌物は吐出物捕捉部材で補捉され、呼気から分泌物が分離される。その後、呼気は第１管路における移動方向とは逆向きに第２管路を移動して、流通孔を通じて第２管路から第３管路の湿熱蓄積体の第１端部に向かって移動するので、呼気とともに吐出された分泌物が湿熱蓄積体の第１端部に到達するのが抑制される。
その結果、呼気とともに吐出される分泌物が湿熱蓄積体に付着することが抑制され、湿熱蓄積体を長時間安定して使用することができる。
【００１２】
また、呼吸用温湿度交換器が、外方からハウジング本体、湿熱蓄積体が配置された第３管路、第２管路、第１管路の順序で配置され、呼吸気が流通する複数の呼吸経路を簡単に構成されているので、外方に引掛かり等が生じる凸部が形成されるのを抑制することが可能となり、患者が姿勢を変更する際に邪魔になることを抑制することができる。また、構造が簡潔であるので、容易に小型化することができる。
【００１３】
この明細書において、人工気道に接続するとは、一重構造の気管切開チューブ、二重構造を有する気管切開チューブにおけるインナーカニューレに接続する場合の他、気管内チューブ、ラリンゲルマスク等を含む。
【００１４】
請求項２に記載の発明は、請求項１に記載の呼吸用温湿度交換器であって、前記吐出物捕捉部材は、前記第２管の第３開口部と着脱可能に構成されていることを特徴とする。
【００１５】
この発明に係る呼吸用温湿度交換器によれば、吐出物捕捉部材は、第２管の第３開口部と着脱可能に構成されているので、吐出物捕捉部材に分泌物が捕捉された場合に、吐出物捕捉部材を容易に取り外すことが可能とされる。また、吐出物捕捉部材が大きく設定されている場合であっても、第３開口部から吐出物捕捉部材を離脱させて、ハウジング本体内に装填された湿熱蓄積体を効率的に交換することができる。
【００１６】
請求項３に記載の発明は、請求項１又は２に記載の呼吸用温湿度交換器であって、前記吐出物捕捉部材は、収納容器であることを特徴とする。
【００１７】
この発明に係る呼吸用温湿度交換器によれば、吐出物捕捉部材が収納容器であるので、第１管路と第２管路とが呼吸気が流通可能な状態で、第２管の第３開口部を外部に対して閉塞して呼気に含まれる分泌物を捕捉することができる。また、収容容器の貯留部の大きさによって、捕捉する分泌物の量を多くすることができる。
【００１８】
請求項４に記載の発明は、請求項３に記載の呼吸用温湿度交換器であって、前記収納容器は、収納部の底部が前記第４開口部を超えない範囲で外周に向かって膨出し、前記第２開口部の対向する部位に、前記第２開口部側に向かって突出する突出部が形成されていることを特徴とする。
【００１９】
この発明に係る呼吸用温湿度交換器によれば、収納容器は収納部の底部が第４開口部を超えない範囲で膨出し、第２開口部の対向する部位に、第２開口部側に向かって突出する突出部が形成されているので、呼吸用温湿度交換器を装着した際に邪魔になることが抑制される。
また、第２開口部側に向かって突出する突出部が形成されているので、第２開口部から吐出された痰等の分泌物の移動が突出部により妨げられ、第２管路側に向かって移動するのを抑制することができる。
この明細書において、第２開口部の対向する部位に形成された第２開口部側に向かって突出する突出部とは、第２開口部側に向かって膨出する膨出部、多角錘、円錐状の凸部、傾斜面を有する凸部、または第２開口部から見て板状部を十字や放射状に形成した凸部材等、種々の形態を設定してもよい。
【００２０】
請求項５に記載の発明は、請求項１又は２に記載の呼吸用温湿度交換器であって、前記吐出物捕捉部材は、吐出物捕捉弁であることを特徴とする。
【００２１】
この発明に係る呼吸用温湿度交換器によれば、吐出物捕捉部材が吐出物捕捉弁であるので、第１管路と第２管路の間を呼吸気が流通する際に、痰等の分泌物が呼気とともに勢いよく吐出された場合であっても、吐出物捕捉弁が開口し、呼気に含まれる分泌物を外部に放出するので、分泌物が湿熱蓄積体に到達することが抑制される。また、吐出物捕捉弁を適用することによって、吐出物捕捉部材を小型化することができる。
【００２２】
請求項６に記載の発明は、請求項１から５のいずれか１項に記載の呼吸用温湿度交換器であって、前記第１管には、第１開口部と第２開口部の間に屈曲部が形成されていて、前記第１管の第１開口部側は、前記ハウジング本体の筒状に伸びる部分に対して９０°未満の傾斜角で傾斜して形成されていることを特徴とする。
【００２３】
この発明に係る呼吸用温湿度交換器によれば、第１管には、第１開口部と第２開口部の間に屈曲部が形成されていて、第１管の第１開口部側が、ハウジング本体の筒状に伸びる部分に対して９０°未満の傾斜角で傾斜して形成されているので、人工気道に装着した場合に、呼吸用温湿度交換器が患者から大きく離間することが抑制されて、患者が容易に姿勢を変更することができる。
【００２４】
請求項７に記載の発明は、請求項１から６のいずれか１項に記載の呼吸用温湿度交換器であって、前記ハウジング本体は、前記湿熱蓄積体の第２端部と前記第４開口部との間に酸素を供給する酸素供給部が形成されていることを特徴とする。
【００２５】
この発明に係る呼吸用温湿度交換器によれば、ハウジング本体は、湿熱蓄積体の第２端部と第４開口部との間に酸素を供給する酸素供給部が形成されているので、小さなスペースによって効率的に酸素を供給することが可能とされる。
また、ハウジング本体から大きく突出するのを抑制することが可能であるので、患者が姿勢を変えたりする際に邪魔となるのを抑制することができる。
【００２６】
請求項８に記載の発明は、請求項１から７のいずれか１項に記載の呼吸用温湿度交換器であって、前記第１管には、前記第１開口部と対向する位置に、吸引用チューブを挿入する吸引窓が形成されていて、前記吸引窓にはフィルム状の柔軟性を有する平板基板に開閉可能な切込みが形成された吸引窓シール部材が配置されていることを特徴とする。
【００２７】
この発明に係る呼吸用温湿度交換器によれば、第１管の屈曲部の第１開口部の向い側に、吸引用チューブを挿入する吸引窓が形成されているので、吸引用チューブを、この吸引窓から人工気道内に容易に挿入することができる。
また、吸引窓に配置される吸引窓シール部材が、柔軟性を有する平板面に開閉可能な切込みが形成された構成とされているので、吸引窓に吸引用チューブを挿入しない場合は、吸引窓を閉塞するので湿熱蓄積体を介した呼吸を妨げない。また、通常の呼吸時には吸引窓が閉塞しているので、患者に衛生的な呼吸を確保することができる。
また、ハウジング本体に対する装着や取り扱いが容易であり、吸引窓シール部材を小型化することができる。
なお、柔軟性を有する平板面に開閉可能な切込みが形成された吸引窓シール部材には、フィルム状に形成された平板面に切込みが形成された吸引窓シール部材や、底部が柔軟性を有する平板面とされた有底筒状のキャップ形状を有し、この平板面に開閉可能な切込みが形成された吸引窓シール部材が含まれる。
【００２８】
請求項９に記載の発明は、請求項１から７のいずれか１項に記載の呼吸用温湿度交換器であって、前記第１管には、前記第１開口部と対向する位置に、吸引用チューブを挿入する吸引窓が形成されていて、前記吸引窓には吸引窓密封蓋が配置されていることを特徴とする。
【００２９】
この発明に係る呼吸用温湿度交換器によれば、第１管に、第１開口部と対向する位置に、吸引用チューブを挿入する吸引窓が形成されていて、吸引窓には吸引窓密封蓋が配置されているので、吸引用チューブを吸引窓から人工気道内に容易に挿入することができ、吸引窓に吸引用チューブを挿入しない場合における湿熱蓄積体を介した呼吸を妨げない。また、吸引窓密封蓋により吸引窓が確実に密封されるので、患者に衛生的な呼吸を確保することができる。
【００３０】
請求項１０に記載の発明は、請求項１から９のいずれか１項に記載の呼吸用温湿度交換器であって、前記第１管の第１開口部には、前記人工気道が接続された際にこれらを外方から付勢する付勢部材が配置されていることを特徴とする。
【００３１】
この発明に係る呼吸用温湿度交換器によれば、第１管の第１開口部に、人工気道が接続された際に、これら人工気道を外方から付勢する付勢部材が配置されているので、呼吸用温湿度交換器の第１管内のテーパ部と、人工気道の外周のテーパ部に許容公差内の大きな製造誤差が生じている場合であっても、人工気道を第１管内に確実に接続することができる。
【発明の効果】
【００３２】
この発明に係る呼吸用温湿度交換器によれば、患者が吐出した分泌物を吐出物捕捉部材で捕捉して湿熱蓄積体に到達するのを抑制することができるので、湿熱蓄積体を長時間安定して使用することができる。
【図面の簡単な説明】
【００３３】
【図１】本発明の第１の実施形態に係る呼吸用温湿度交換器を説明する図であり、呼吸用温湿度交換器を上方から見た斜視図である。
【図２】本発明の第１の実施形態に係る呼吸用温湿度交換器を示す平面図である。
【図３】本発明の第１の実施形態に係る呼吸用温湿度交換器を示す側面図である。
【図４】本発明の第１の実施形態に係る呼吸用温湿度交換器を分解した態のハウジングを下方から見た斜視図である。
【図５】本発明の第１の実施形態に係る呼吸用温湿度交換器を分解した態の収納容器を上方から見た斜視図である。
【図６】第１の実施形態に係る呼吸用温湿度交換器を説明する図であり、図２において、ＶI−ＶIで示した縦断面図である。
【図７】第１の実施形態に係る呼吸用温湿度交換器を説明する図であり、図３において、ＶII−ＶII矢視で示した縦断面図である。
【図８】第１の実施形態に係る呼吸用温湿度交換器を説明する図であり、図２において、ＶIII−ＶIIIで示した縦断面図である。
【図９】第１の実施形態に係る呼吸用温湿度交換器に適用する吸引窓シール部材の概略構成を説明する図である。
【図１０】第１の実施形態に係る呼吸用温湿度交換器の第１開口部の接続構造を説明する図であり、（Ａ）は第１開口部を構成する環状壁部の概略構成を示す斜視図であり、（Ｂ）はリング状シリコーンゴムを装着した状態を示す斜視図である。
【図１１】第１の実施形態に係る第１開口部の接続構造の詳細を説明する図であり、（Ａ）は環状壁部を側面から見た図を、（Ｂ）は図１０（Ａ）に示す矢視ＸIＢ−ＸIＢ断面図を、（Ｃ）は（Ａ）に示す矢視ＸIＣ−ＸIＣ断面図を、（Ｄ）は（Ａ）に示す矢視ＸIＤ−ＸIＤ断面図を、（Ｅ）は図１０（Ｂ）に示す矢視ＸIＥ−ＸIＥ断面図を示している。
【図１２】第１の実施形態に係る第１開口部の接続構造の第１変形例の概略を説明する図であり、図１１（Ｅ）と対応する断面図である。
【図１３】本発明の第１の実施形態に係る吸引窓シール部材の第１〜第３変形例を示す図である。
【図１４】本発明の第２の実施形態に係る呼吸用温湿度交換器を説明する図であり、呼吸用温湿度交換器を上方から見た斜視図である。
【図１５】本発明の第３の実施形態に係る呼吸用温湿度交換器を説明する図であり、呼吸用温湿度交換器を上方から見た斜視図である。
【図１６】本発明の第３の実施形態に係る呼吸用温湿度交換器を下方から見た斜視図である。
【図１７】本発明の第３の実施形態に係る呼吸用温湿度交換器に適用する吐出物捕捉弁を説明する図であり、（Ａ）は吐出物捕捉弁を下方から見た斜視図であり、（Ｂ）は（Ａ）においてＸＶIIＢ−ＸＶIIＢで示す吐出物捕捉弁の縦断面図であり、（Ｃ）は吐出物捕捉弁を下方から平面視した図である。
【図１８】第３の実施形態に係る呼吸用温湿度交換器を説明する図であり、図１５において、ＸＶIII−ＸＶIIIで示した縦断面図である。
【図１９】第３の実施形態に係る呼吸用温湿度交換器を説明する図であり、図１８において、ＸＩＸ−ＸＩＸで示した縦断面図である。
【図２０】第３の実施形態に係る呼吸用温湿度交換器を説明する図であり、図１８において、ＸＸ−ＸＸで示した縦断面図である。
【図２１Ａ】本発明の第３の実施形態に係る吐出物捕捉弁の第１変形例を示す図である。
【図２１Ｂ】本発明の第３の実施形態に係る吐出物捕捉弁の第２変形例を示す図である。
【図２１Ｃ】本発明の第３の実施形態に係る吐出物捕捉弁の第３変形例を示す図である。
【図２１Ｄ】本発明の第３の実施形態に係る吐出物捕捉弁の第４変形例を示す図である。
【図２１Ｅ】本発明の第３の実施形態に係る吐出物捕捉弁の第５変形例を示す図である。
【図２２】本発明の第１の実施形態に係る呼吸用温湿度交換器の効果を説明する図であり、（Ａ）、（Ｂ）は比較例１、２の検証結果を示す図であり、（Ｃ）は実施例の検証結果を示す図である。
【発明を実施するための形態】
【００３４】
＜第１の実施形態＞
以下、図１から図１３を参照して、本発明の第１の実施形態に係る呼吸用温湿度交換器を説明する。
図１は、第１の実施形態に係る呼吸用温湿度交換器の概略構成を説明する斜視図であり、符号１は呼吸用温湿度交換器を、符号１０はハウジングを、符号５０は収納容器を示している。
【００３５】
呼吸用温湿度交換器１は、図１〜図４に示すように、ハウジング１０と、収納容器５０と、湿熱蓄積体６０とを備え、患者が気管切開チューブ等の人工気道（不図示）を通じて呼吸する際に、呼気に含まれる水分と熱を吸収するとともに、この水分と熱を吸気に還元するように構成されている。
【００３６】
また、呼吸用温湿度交換器１は、図４、図５に示すように、ハウジング１０と収納容器５０とが着脱可能に構成されている。また、ハウジング１０の第３開口部３５Ａから収納容器５０を離脱させた状態では、必要に応じて、湿熱蓄積体６０を交換することができるようになっている。
【００３７】
ハウジング１０は、例えば、プラスチック樹脂により形成されていて、患者側管（第１管）２０と、ハウジング本体３０と、保持壁部（第２管）３５と、流通孔３５Ｈとを備えており、この実施形態において、例えば、患者側管２０とハウジング本体３０と保持壁部３５とは、一体に成形されている。
【００３８】
患者側管２０は、図４、図６に示すように、一端側（第１端側）に開口する第１開口部２１と、他端側（第２端側）に開口する第２開口部２２とを有していて、内方が略円筒形状の呼吸流路（第１管路）２０Ｈとされた筒状部材である。
【００３９】
また、患者側管２０の第１開口部２１側は、図６に示すように、第１端側に向かって拡径された拡径部２０Ａが形成されるとともに、第１端側に環状壁部２１Ａが形成されている。
また、拡径部２０Ａは、内周に第１開口部２１から第２開口部２２側に向うにしたがって縮径されたテーパ部２１Ｔが形成されており、図示しない気管切開チューブのテーパ付接続部を挿入することにより、気管切開チューブが接続可能とされている。
【００４０】
また、患者側管２０は、患者側管２０の第１開口部２１側に位置される第１開口部側管２０１と、第２開口部２２側に位置される第２開口部側管２０２とを備えていて、第１開口部側管２０１と第２開口部側管２０２とは屈曲部２４において屈曲して接続されている。
そして、患者側管２０は、屈曲部２４の近傍においてハウジング本体３０と連結されている。
【００４１】
ハウジング本体３０は、患者側管２０の屈曲部２４及び第１開口部側管２０１の外周面と連接して形成されるドーム部３２と、ドーム部３２の下端部に接続されて第２開口部側管２０２に沿って第２開口部側管２０２と間隔をあけて第３開口部３５Ａ側に伸び、第３開口部３５Ａ側に第４開口部３４Ａが形成された円筒形状（筒状）のスカート部（第３管）３４と、を有している。
【００４２】
ドーム部３２は、スカート部３４と接続される下端部から屈曲部２４側に向かって膨出して形成され、ドーム部３２の頂部は、患者側管２０及び保持壁部３５の近傍に連結されている。
【００４３】
スカート部３４は、ドーム部３２の下端部から第２開口部側管２０２の外周面と所定間隔をあけて、第２開口部側管２０２の周囲に、第２開口部側管２０２より長く形成されていて、第２開口部側管２０２とは同心に形成されている。
そして、スカート部３４の先端側には、第２開口部２２より下側に開口する第４開口部３４Ａが形成されている。また、スカート部３４の内周側には、図６〜図８に示すように、保持壁部３５の外周面との間に第３管路３４Ｂが形成されている。
【００４４】
また、ドーム部３２の頂部から下端部に向かう位置には、第１開口部２１が形成されていて、第１開口部２１は、スカート部３４の軸線に対して傾斜された向きに開口されている。
【００４５】
また、スカート部３４の内周側には、例えば、第２開口部側管２０２の周囲に、ドーム部３２の内面から第４開口部３４Ａに向かって伸びる保持壁部３５が形成されている。そして、保持壁部３５は、スカート部３４及び第２開口部側管２０２と間隔をあけて形成され、保持壁部３５の内周には収納容器５０の筒状部５１が配置されており、保持壁部３５と第２開口部側管２０２との間には、筒状部５１を介して第３開口部３５Ａ側からドーム部３２内に向かう流通路（第２管路）５６が形成されている。
【００４６】
保持壁部３５は、略円筒形に形成されるとともに、ドーム部３２の上部の内面の患者側管２０の屈曲部近傍に連結されていて、内周側には収納容器５０を螺合して取付けるためのネジ部３５Ｍが形成されている。そして、外周側に湿熱蓄積体６０を挿入することで、湿熱蓄積体６０を保持することが可能な寸法に形成されている。
【００４７】
流通孔３５Ｈは、この実施形態において、例えば、保持壁部３５の上部の連結部近傍に保持壁部３５を貫通して形成されている。
そして、ハウジング本体３０のドーム部３２内において、第２開口部側管２０２と収納容器５０の筒状部５１との間に形成された流通路（第２管路）５６と、湿熱蓄積体６０が配置された第３管路３４Ｂとを、呼吸気が流通可能に構成されている。
【００４８】
このような構成により、第２開口部側管２０２の第２開口部２２から収納容器５０に移動した呼気は、保持壁部３５内に保持された筒状部５１と、第２開口部側管２０２との間に形成された流通路（第２管路）５６を流れて、流通孔３５Ｈからドーム部３２内に流入して第３管路３４Ｂに配置された湿熱蓄積体６０の第１端部６０Ａに到達するようになっている。
【００４９】
湿熱蓄積体６０は、呼気が含む水分を吸収して吸気に還元するためのものであり、この実施形態において、ハウジング本体３０の内周側に配置されて、内周面が保持壁部３５の外周に保持されるようになっている。
【００５０】
また、湿熱蓄積体６０は、第１端部６０Ａがハウジング本体３０の内側に開放されるとともに、第２端部６０Ｂが第４開口部３４Ａを介して外部に開放されている。
【００５１】
そして、湿熱蓄積体６０は、第３管路３４Ｂを流通する呼吸気が、ドーム部３２内に位置される第１端部６０Ａと第４開口部３４Ａ側の第２端部６０Ｂとの間で流通するようになっている。
【００５２】
また、湿熱蓄積体６０は、第１端部６０Ａから取り込んだ呼気を第２端部６０Ｂから第４開口部３４Ａを介して排出するとともに、第２端部６０Ｂから取り込んだ吸気を第１端部６０Ａからハウジング本体３０内に吸入するようになっている。
そして、湿熱蓄積体６０を流通する呼吸気は、保持壁部３５に形成された流通孔３５Ｈを介して保持壁部３５の内外、すなわち流通路５６と第３管路３４との間で流通するようになっている。
【００５３】
湿熱蓄積体６０は、例えば、多孔質のスポンジや、不織布、またはテープ状のコルゲート紙片をスパイラル（渦巻）状に巻き重ねたスパイラル構造や、短冊状のコルゲート紙片を環状に成形した内径の異なる複数の筒体を内径の小さいものから順に大きなものに挿入して同心円状に積層した同心重層構造を有しており、内方には保持壁部３５を挿入するための穴が形成された略円筒形状に形成されている。
【００５４】
また、湿熱蓄積体６０は、例えば、グリセリン、ポリビニルピロリドン、ポリアクリル酸、ポリアクリル酸塩類、ポリビニルアルコール、グリコール類、塩化カルシウム、塩化リチウム等の化合物が吸湿性物質として含浸されていてもよい。なお、湿熱蓄積体６０は、周知のものを用いることが可能である。
【００５５】
また、ハウジング本体３０のスカート部３４には、例えば、第４開口部３４Ａと湿熱蓄積体６０の第２端部６０Ｂとの間の位置に接続された酸素供給用管路３７が設けられていて、酸素供給用管路３７はスカート部３４の外周面から略接線方向に伸びて形成され、酸素供給用管路３７には必要に応じて、酸素供給用チューブ（不図示）が接続可能とされている。
【００５６】
また、酸素供給用管路３７は、外部の図示しない酸素供給装置から酸素供給用チューブを介して供給された酸素を、スカート部３４の内周側に位置される湿熱蓄積体６０の第２端部６０Ｂと、第４開口部３４Ａの間で第３管路３４Ｂに流入させて、流入した酸素を吸気によって空気ととともに第４開口部３４Ａ側の第２端部６０Ｂから湿熱蓄積体６０に取り込むようになっている。
【００５７】
収納容器５０は、例えば、透明なプラスチック樹脂により形成されていて、保持壁部（第２管）３５の内周側に位置される筒状部５１と、筒状部５１の下側端に接続され筒状部５１より大径の有底筒状に形成された収納部５２とを備えている。なお、収納容器５０の底外径は第４開口部３４Ａの直径を超えない範囲で膨出して形成されていることが好適である。
【００５８】
筒状部５１は、略円筒形状に形成され、筒状部５１の外周にはネジ部５１Ａが形成されていて、ネジ部５１Ａを保持壁部３５のネジ部３５Ｍと螺合することにより収納容器５０が保持壁部３５に把持されるようになっている。
また、収納部５２の内側空間には、向かい側の第２開口部２２に向かって膨出する膨出部（突出部）５５が形成されている。
【００５９】
ドーム部３２には、屈曲部２４の近傍にドーム部３２の内方に向かう凹部１４が形成されていて、この凹部１４には、患者側管２０を貫通して呼吸流路２０Ｈ内に開口する円形の吸引窓１７が形成されている。この吸引窓１７は、第１開口部２１が見通せる位置に形成されている。
【００６０】
そして、この吸引窓１７を介してハウジング本体３０の外方から呼吸流路２０Ｈ内に吸引用チューブを挿入することにより、第１開口部２１を介して気管切開チューブ内に吸引用チューブを挿入できるようになっている。
この実施形態では、吸引窓１７には、例えば、吸引窓シール部材１８が装着されていて、呼吸流路２０Ｈが外部に開放されるのを抑制するようになっている。
【００６１】
吸引窓１７は、図９に示すように、例えば、周囲に吸引窓シール部材１８を安定して配置するのを可能とする平坦凹部１７Ｐが形成され、平坦凹部１７Ｐは吸引窓シール部材１８の厚さと対応する深さに形成されている。
【００６２】
キャッププレート１９は、例えば、プラスチック樹脂により構成されていて、吸引窓１７と対応して形成された吸引窓１９Ａが設けられた凹部１４の外面と連続する形態を有しており、平坦凹部１７Ｐに配置された吸引窓シール部材１８を覆って外方から固定するようになっている。
また、外方からキャッププレート１９は、例えば、ラッチ等により着脱可能に装着することが可能に構成されている。
【００６３】
吸引窓シール部材１８は、この実施形態において、例えば、図９に示すように、柔軟性及び弾性を有するシリコーン樹脂等の材料を、長円を長手方向に二分割したフィルム状の平板基板（平板面）１８Ｆに、吸引窓１７の周縁部より内方に位置され上方が連接部分とされる横向きの略Ｃ字形状とされる切込み１８Ｃが形成された構成とされている。
【００６４】
また、第１開口部２１には、気管切開チューブ等の人工気道を装着する構造が形成されている。
以下、図１０〜図１２を参照して、第１の実施形態に係る第１開口部２１における気管切開チューブの接続構造について、具体的に説明する。
【００６５】
気管切開チューブ（人工気道）を接続する接続構造は、図１０、図１１に示すように、例えば、患者側管２０の第１開口部２１を構成する環状壁部２１Ａと、リング状シリコーンゴム（付勢部材）４４とを備えていて、第１開口部２１に、図示しない気管切開チューブを挿入するようになっている。
【００６６】
環状壁部２１Ａは、図１０、図１１に示すように、環状壁部２１Ａの周方向に間隔をあけて、環状壁部２１Ａの外周側から内周側に貫通する複数のリング保持孔２１Ｈが形成されている。
この実施形態において、環状壁部２１Ａには、例えば、４つのリング保持孔２１Ｈが形成されている。
【００６７】
また、環状壁部２１Ａは、図１０（Ｂ）、図１１（Ｅ）に示すように、リング状シリコーンゴム４４が環状壁部２１Ａの外周側に引掛けられることにより、リング保持孔２１Ｈを介して第１開口部２１の内周側にリング状シリコーンゴム４４が部分的に突出して、気管切開チューブを外方から付勢して保持するようになっている。
【００６８】
この実施形態では、図１０、図１１に示すように、例えば、環状壁部２１Ａの周囲には、リング状シリコーンゴム４４を装着するためのリング保持溝２１Ｕが形成されていて、リング保持溝２１Ｕの底部は、リング状シリコーンゴム４４の外形と略相補的に形成されている。
具体的には、リング保持溝２１Ｕは、図１１（Ｃ）に示すように、環状壁部２１Ａに装着された状態におけるリング状シリコーンゴム４４の患者側管２０の軸線Ｏ２１（図６参照）を含む断面と略同じ形状（例えば、略同じ曲率半径）とされている。
【００６９】
また、リング保持孔２１Ｈは、例えば、図１１（Ｂ）、（Ｄ）に示すように、リング保持溝２１Ｕの底部に、リング状シリコーンゴム４４を直線状とした仮想円筒４４Ｌを配置して、リング保持溝２１Ｕの所定の２箇所を直線的に接続した場合に形成される下溝形状部２１Ｃにより構成されていることが好適である。
【００７０】
このとき、リング保持溝２１Ｕと下溝形状部２１Ｃとの相対位置は、リング状シリコーンゴム４４が、リング保持孔２１Ｈから第１開口部２１の内周側に突出する突出量Ｍに基づいて設定することが好適である。
【００７１】
また、突出量Ｍについては、任意に設定することが可能であり、リング保持孔２１Ｈの数、接続させる気管切開チューブの大きさ、着脱するときの着脱抵抗等によって適宜設定することが好適である。
【００７２】
環状壁部２１Ａの周囲に、リング状シリコーンゴム４４を装着するためのリング保持溝２１Ｕを形成することにより、環状壁部２１Ａからリング状シリコーンゴム４４が脱落することが抑制され、リング状シリコーンゴム４４が所定位置に安定して保持される。
【００７３】
また、リング保持溝２１Ｕの底部に、リング状シリコーンゴム４４を直線状とした仮想円筒４４Ｌが配置可能とされる下溝形状部２１Ｃを形成してリング保持孔２１Ｈを設定することにより、リング状シリコーンゴム４４が確実に保持されるとともに、リング状シリコーンゴム４４の突出量Ｍを容易に設定することができる。
【００７４】
リング状シリコーンゴム４４は、環状壁部２１Ａの外周に装着され、リング状シリコーンゴム４４の内周側の一部がリング保持孔２１Ｈを介して環状壁部２１Ａの内周側に突出して、第１開口部２１のテーパ部２１Ｔに挿入される気管切開チューブの接続部を内方に付勢するとともに押圧して固定するようになっている。
【００７５】
以下、図１２を参照して、第１の実施形態に係る接続構造の第１変形例について説明する。図１２は、第１の実施形態に係る接続構造の第１変形例を示す図である。
第１変形例は、図１２に示すように、環状壁部２１Ａの周方向に、６つのリング保持孔２１Ｈが６０°間隔で形成されている。なお、リング保持孔２１Ｈの数については、任意に設定することが可能である。
【００７６】
このような構成として、気管切開チューブとの接触箇所を増すととにより、リング状シリコーンゴム４４の突出量を小さくしても、気管切開チューブが第１開口部２１に確実に保持される。
その結果、気管切開チューブを挿脱する際の抵抗が小さくなり、容易に着脱することができる。
【００７７】
以下、第１の実施形態に係る呼吸用温湿度交換器１の作用について説明する。
呼吸用温湿度交換器１の第１開口部２１には、気管切開チューブ等の人工気道が接続されているものと想定する。
【００７８】
（１）まず、患者が呼気を排出すると、第１開口部２１から患者側管（第１管）２０内の呼吸流路（第１管路）２０Ｈに流入した呼気は、第１開口部側管２０１及び第２開口部側管２０２内の呼吸流路２０Ｈを通じて、第２開口部２２から収納容器５０の内方に排出される。
【００７９】
（２）呼気が収納容器５０内に排出されたときに、呼気とともに吐出された痰等の分泌物は、慣性によって膨出部５５側に移動しやすく、膨出部５５に付着するか、衝突した際に膨出部５５で第２開口部２２とは異なる方向に方向が変化して飛散する。そして、収納容器５０内に付着又は貯留される。
【００８０】
（３）収納容器５０内に排出された呼気は、収納部５２内から第２開口部側管２０２と保持壁部（第２管）３５の間に形成された流通路（第２管路）５６から流通孔３５Ｈを通じてハウジング本体３０のドーム部３２内に流入する。
【００８１】
（４）ドーム部３２内に流入した呼気は、第１端部６０Ａから湿熱蓄積体６０内を通過して第２端部６０Ｂから流出され、第４開口部３４Ａから外部に排出される。このとき、呼気に含まれていた水分と熱が湿熱蓄積体６０に吸収、保持される。
【００８２】
（５）次に、吸気が第４開口部３４Ａから取り込まれる。吸気に酸素を付加する場合には、酸素供給用管路３７を通じて第３管路３４Ｂ内（第２端部６０Ｂと第４開口部３４Ａの間）に酸素を供給する。
【００８３】
（６）取り込まれた吸気は、第２端部６０Ｂから湿熱蓄積体６０内を通過して第１端部６０Ａからドーム部３２内に流入する。
このとき、吸気には、湿熱蓄積体６０が吸収、保持していた水分と熱が還元されて適度な湿度とされる。
【００８４】
（７）ドーム部３２内に流入した吸気は、流通孔３５Ｈから第２開口部側管２０２と保持壁部（第２管）３５の間に形成された流通路５６を通過して収納容器５０内を経由して、第２開口部側管２０２及び第１開口部側管２０１内の流路を介して第１開口部２１から人工気道に流入する。
【００８５】
また、気管等に痰等の分泌物が溜まった場合には、吸引窓１７を覆っている吸引窓シール部材１８の切込み１８Ｃから吸引用チューブを挿入し、吸引窓１７を介して挿入した吸引用チューブによって、人工気道内又は気管内に溜まった分泌物を吸引、除去することができる。
【００８６】
第１の実施形態に係る呼吸用温湿度交換器１によれば、患者が吐出した分泌物を収納容器５０で捕捉して湿熱蓄積体６０に到達するのを抑制することができる。
その結果、呼気とともに吐出される分泌物が湿熱蓄積体６０に付着するのを抑制することができるので、湿熱蓄積体６０を長時間安定して使用することができる。
【００８７】
また、第１の実施形態に係る呼吸用温湿度交換器１によれば、ハウジング本体３０のスカート部３４、湿熱蓄積体６０が配置される第３管路３４Ｂ、保持壁部３５、収納容器５０、流通路（第２管路）５６、患者側管２０（第２開口部側管２０２）、呼吸流路２０Ｈが外周側からこの順序で配置されていて、流通孔３５Ｈを介して呼吸気を流通路５６と第３管路３４Ｂの間で流通可能とされているので、簡単な構成により外部に突出するのを抑制しつつ、湿熱蓄積体６０を通じて第１開口部２１と第４開口部３４Ａの間で呼吸気を流通させることができる。
その結果、容易に小型化するとともに患者が使用する際の引掛かり等を抑制することができる。
【００８８】
また、第１の実施形態に係る呼吸用温湿度交換器１によれば、患者側管２０を第１開口部２１側の第１開口部側管２０１と第２開口部側管２０２に屈曲する屈曲部２４が形成されていて、第１開口部２１がハウジング本体３０のスカート部３４に対して傾斜して形成されているので、気管切開チューブに装着した場合に、呼吸用温湿度交換器１が患者から遠くに離間するのが抑制されて、患者が容易に姿勢を変更することができ、さらに呼吸用温湿度交換器１が患者の胸元や衣類等に接触することにより邪魔になることを抑制することができる。
【００８９】
また、第１の実施形態に係る呼吸用温湿度交換器１によれば、患者側管２０の第１開口部２１から湿熱蓄積体６０に至るまでに、第２開口部側管２０２の先端及び流通孔３５Ｈにおいて呼吸気の向きが折返すように変わるので、呼気とともに移動してきた痰等の分泌物は、慣性によって呼気に追従することが抑制されて、主として収納容器５０内に効率的に捕捉することができる。
【００９０】
また、第１の実施形態に係る呼吸用温湿度交換器１によれば、ハウジング本体３０の患者側管２０の屈曲部２４の第１開口部２１の向い側に位置される凹部１４に吸引窓１７が形成されているので、吸引窓１７から気管切開チューブ内に吸引用チューブを挿入して気管内に生じた分泌物を容易に吸引することができる。
【００９１】
また、吸引窓１７に配置される吸引窓シール部材１８が、切込みが形成されたフィルムから構成されて構造が簡単であるので、吸引窓シール部材１８を簡単に製造することができ、製造コストを削減することができる。
【００９２】
また、吸引窓シール部材１８の構造が簡単であるので、容易に取扱うことが可能であるとともに、ハウジング本体３０に対して容易に装着することができる。また、吸引窓シール部材１８を容易に小型化することができる。
【００９３】
また、第１の実施形態に係る呼吸用温湿度交換器１によれば、収納容器５０の底部に膨出部５５が形成されていて、吐出された痰等の分泌物が膨出部５５に衝突することによって底部に付着するか斜め上方に向かって跳ね返るので、痰等の分泌物が第２開口部２２を逆戻りし又は収納容器５０と患者側管２０の間の流通路５６を通じて湿熱蓄積体６０側に向かって飛散するのを抑制することができる。
【００９４】
第１の実施形態に係る呼吸用温湿度交換器１によれば、収納容器５０がハウジング本体３０と着脱可能に構成されているので、分泌物が収容された収納容器５０を容易に取り外しや交換をすることができる。
また、収納容器５０を容易に取り外すことができるので、収納容器５０を取り外した状態で、必要に応じて、収納容器５０の上方に保持される湿熱蓄積体６０を効率的に交換することができる。
【００９５】
また、第１の実施形態に係る呼吸用温湿度交換器１によれば、湿熱蓄積体６０の第２端部６０Ｂと第４開口部３４Ａの間に酸素供給用管路（酸素供給部）３７から酸素が供給されるので、小さなスペースで効率的に酸素を供給することができる。
【００９６】
また、第１の実施形態に係る呼吸用温湿度交換器１によれば、酸素供給用管路３７が、スカート部３４から略接線方向に形成されていて、酸素供給用管路３７がハウジング１０から大きく突出することが抑制されているので、酸素供給チューブが接続されていない状態では、患者は呼吸用温湿度交換器１を装着していても、酸素供給用管路３７の突出を気にすることなく姿勢を変更することができる。
【００９７】
また、第１の実施形態に係る呼吸用温湿度交換器１によれば、収納容器５０が第４開口部３４Ａの内周側に位置されて収納部５２が第４開口部３４Ａから突出するとともに、収納容器５０の周囲の全周にわたって第４開口部３４Ａとの間に間隙が形成されているので、第４開口部３４Ａが密封されることが抑制され、患者の姿勢等に関係なく呼吸の安全を確保することができる。
【００９８】
また、第１の実施形態に係る呼吸用温湿度交換器１によれば、第１開口部２１を構成する環状壁部２１Ａに気管切開チューブが接続された場合に、これら気管切開チューブを外方から付勢する付勢部材が配置されているので、呼吸用温湿度交換器１の第１開口部２１のテーパ部２１Ｔと、気管切開チューブの外周のテーパ部との間に、許容公差内の製造誤差が大きい場合であっても、気管切開チューブを患者側管２０に容易かつ確実に接続することができる。
【００９９】
また、第１の実施形態に係る呼吸用温湿度交換器１によれば、第１開口部２１を構成する環状壁部２１Ａに設けられる付勢部材が、環状壁部２１Ａの外周に設けられるリング状シリコーンゴム４４とされていて、第１開口部２１の内方に落下することが抑制されるので、安全に装着することが可能である。
【０１００】
次に、図１３を参照して、第１の実施形態に係る吸引窓シール部材の変形例について説明する。図１３は、第１の実施形態に係る吸引窓シール部材の第１〜３変形例を示す図である。
図１３（Ａ）は、第１変形例に係る吸引窓シール部材１８１を示す図である。
第１変形例に係る吸引窓シール部材１８１は、図１３（Ａ）に示すように、平板基板１８Ｆに、外側輪郭が吸引窓１７の周縁部よりわずかに小さく形成された横向きの略Ｓ字形状の切込み１８１Ｃが形成された構成とされている。
【０１０１】
第１変形例に係る吸引窓シール部材１８１によれば、平板基板１８Ｆに吸引窓１７の内周縁と対応する横向きの略Ｓ字形状の切込み１８１Ｃが形成されているので、切込み１８１Ｃを吸引窓１７と容易に対応させることができ、大きな開閉面積を確保することができる。
【０１０２】
図１３（Ｂ）は、第２変形例に係る吸引窓シール部材１８２を示す図である。
第２変形例に係る吸引窓シール部材１８２は、図１３（Ｂ）に示すように、例えば、フィルム状の平板基板１８Ｆに、吸引窓１７の周縁部よりわずかに小さい切込み１８２Ｃが形成された構成とされている。
切込み１８２Ｃは、水平方向に伸びる互いに対向する一対の切込み１８２Ｈと、一対の切込み１８２Ｈの中央部同士を接続し垂直方向に伸びる切込み１８２Ｌとを有する横向きの略Ｈ字形状の構成とされている。
【０１０３】
第２変形例に係る吸引窓シール部材１８２によれば、平板基板１８Ｆに横向きの略Ｈ字形状の切込み１８２Ｃを形成することにより構成されているので、吸引窓１７に対応させて、大きな開閉面積を確保することができる。
【０１０４】
図１３（Ｃ）は、第３変形例に係る吸引窓シール部材１８３を示す図である。
第３変形例に係る吸引窓シール部材１８３は、図１３（Ｃ）に示すように、例えば、フィルム状の平板基板１８Ｆに切込み１８３Ｃが形成された構成とされている。
そして、切込み１８３Ｃは、平板基板１８Ｆの中央部から放射状に伸びる４つの切込み１８３Ｄ、１８３Ｅ、１８３Ｆ、１８３Ｇにより構成されている。
なお、吸引窓シール部材１８３に形成する放射状の切込み１８３Ｃを、放射状に伸びる３又は５以上の切込みによって構成してもよい。
【０１０５】
第３変形例に係る吸引窓シール部材１８３によれば、切込み１８３Ｃが、４つの切込み１８３Ｄ、１８３Ｅ、１８３Ｆ、１８３Ｇにより構成されているので、それぞれの弁部材が小さな力で開閉することが可能であり、必要に応じて柔軟な設定が可能である。
【０１０６】
＜第２の実施形態＞
次に、図１４を参照して、本発明の第２の実施形態に係る呼吸用温湿度交換器について説明する。
図１４は、第２の実施形態に係る呼吸用温湿度交換器の吸引窓部の概略構成を示す図である。図１４において、符号１Ａは、第２の実施形態に係る呼吸用温湿度交換器を示している。
【０１０７】
呼吸用温湿度交換器１Ａが、第１の実施形態に係る呼吸用温湿度交換器１と異なるのは、吸引窓１７を閉塞するために、吸引窓シール部材１８に代えて、例えば、上部がヒンジ構造とされた吸引窓密封蓋１４０を備えていて、矢印で示す方向に効率的に開閉可能とされている点である。
その他は、第１の実施形態に係る呼吸用温湿度交換器１と同様であるので、説明を省略する。
【０１０８】
第２の実施形態に係る呼吸用温湿度交換器１Ａによれば、吸入用チューブを吸引窓１７から人工気道内に容易に挿入することができ、吸引窓１７に吸入用チューブを挿入しないときは、吸引窓密封蓋１４０によって吸引窓１７を確実に密封し、患者に衛生的な呼吸を確保することができる。
【０１０９】
＜第３の実施形態＞
次に、図１５から図２１を参照して、本発明の第３の実施形態に係る呼吸用温湿度交換器を説明する。
図１５は、第３の実施形態に係る呼吸用温湿度交換器の概略構成を説明する斜視図であり、符号１Ｂは呼吸用温湿度交換器を、符号１０はハウジングを、符号７０は吐出物捕捉弁を示している。
【０１１０】
呼吸用温湿度交換器１は、図１５、図１６に示すように、ハウジング１０と、湿熱蓄積体６０と、吐出物捕捉弁（吐出物捕捉部材）７０とを備え、患者が気管切開チューブ等の人工気道（不図示）を通じて呼吸する際に、呼気に含まれる水分と熱を吸収するとともに、この水分と熱を吸気に還元するように構成されている。
【０１１１】
吐出物捕捉弁（吐出物捕捉部材）７０は、図１７Ａ〜図１７Ｃに示すように、例えば、捕捉弁体保持部材７１と、捕捉弁体シート７２とを備え、ハウジング１０の第３開口部３５Ａに着脱可能とされている。
【０１１２】
捕捉弁体保持部材７１は、例えば、円筒形状に形成された保持部材本体７１Ａと、保持部材本体７１Ａの外周に形成されたネジ部７１Ｂと、保持部材本体７１Ａの内周に互いに対向して形成された一対の環状凸部からなる捕捉弁体シート保持部７１Ｃと、着脱突起部７１Ｄとを備え、捕捉弁体シート保持部７１Ｃによって捕捉弁体シート７２を保持可能とされている。
【０１１３】
また、捕捉弁体保持部材７１は、ネジ部７１Ｂをハウジング１０の保持壁部３５のネジ部３５Ｍに螺合することにより、呼吸流路（第１管路）２０Ｈと流通路（第２管路）５６との呼吸気の流通を可能にした状態で第３開口部３５Ａを閉塞することが可能とされている。
【０１１４】
また、図示しない取付工具を着脱突起部７１Ｄに係合させて廻すことにより、捕捉弁体保持部材７１のネジ部７１Ｂをハウジング１０のネジ部３５Ｍに効率的に螺合させることができるようになっている。
【０１１５】
捕捉弁体シート７２は、例えば、シート本体７２Ａに、シート本体７２Ａを貫通して略Ｓ字状の切込み７２Ｂが形成されている。
シート本体７２Ａは、保持部材本体７１Ａの内径と対応させて略円形状に形成されたシリコーンゴム等、弾性を有する材料により構成されており、切込み７２Ｂは通常時は対向部分が密着し、所定圧力が印加されることにより開口するように構成されている。
【０１１６】
以下、第３の実施形態に係る呼吸用温湿度交換器１Ｂの作用について説明する。
呼吸用温湿度交換器１Ｂの第１開口部２１には、例えば、気管切開チューブ等の人工気道が接続されているものとする。
【０１１７】
（１）まず、患者が呼気を排出すると、第１開口部２１から患者側管（第１管）２０内の呼吸流路（第１管路）２０Ｈに流入した呼気が、第１開口部側管２０１及び第２開口部側管２０２内の呼吸流路２０Ｈを通じて第２開口部２２から排出される。
【０１１８】
（２）呼気が第２開口部２２から排出されたときに、呼気とともに排出された痰等の分泌物は、慣性によって吐出物捕捉弁７０の捕捉弁体シート７２の内側面に付着して捕捉される。
なお、第２開口部２２から排出される呼気の勢いが強い場合には、吐出物捕捉弁７０の切込み７２が開口して排出されてもよい。
なお、痰等の分泌物が吐出物捕捉弁７０の捕捉弁体シート７２の切込み７２Ｂから排出する可能性がある場合には、吐出物捕捉弁７０の下側に、痰等の分泌物を受け止めて保持するタオル等の吸収保持材を設けることが好適である。
【０１１９】
（３）第２開口部２２から排出された呼気は、吐出物捕捉弁７０の内側を通って第２開口部側管２０２と保持壁部（第２管）３５の間に形成された流通路（第２管路）５６から流通孔３５Ｈを通じてハウジング本体３０のドーム部３２内に流入する。
【０１２０】
（４）ドーム部３２内に流入した呼気は、第１端部６０Ａから湿熱蓄積体６０内を通過して第２端部６０Ｂから流出され、第４開口部３４Ａから外部に排出される。このとき、呼気に含まれていた水分と熱が湿熱蓄積体６０に吸収、保持される。
【０１２１】
（５）次に、吸気が第４開口部３４Ａから取り込まれる。吸気に酸素を付加する場合には、酸素供給用管路３７を通じて第３管路３４Ｂ内（第２端部６０Ｂと第４開口部３４Ａの間）に酸素を供給する。
【０１２２】
（６）取り込まれた吸気は、第２端部６０Ｂから湿熱蓄積体６０内を通過して第１端部６０Ａからドーム部３２内に流入する。
このとき、吸気には、湿熱蓄積体６０が吸収、保持していた水分と熱が還元されて適度な湿度とされる。
【０１２３】
（７）ドーム部３２内に流入した吸気は、流通孔３５Ｈから第２開口部側管２０２と保持壁部（第２管）３５の間に形成された流通路５６を通過して、吐出物捕捉弁７０の内側を通って第２開口部２２から第２開口部側管２０２に流入して第１開口部側管２０１内の流路を経由して第１開口部２１から人工気道に流入する。
【０１２４】
第３の実施形態に係る呼吸用温湿度交換器１によれば、患者が吐出した分泌物が吐出物捕捉弁７０に付着して捕捉され、分泌物が湿熱蓄積体６０に到達するのを抑制することができる。
その結果、呼気とともに吐出される分泌物が湿熱蓄積体６０に付着するのを抑制することができるので、湿熱蓄積体６０を長時間安定して使用することができる。
【０１２５】
また、第３の実施形態に係る呼吸用温湿度交換器１によれば、第２開口部２２から流出された呼気の勢いが強い場合には、吐出物捕捉弁７０の切込み７２が開口し、呼気に含まれる分泌物を外部に排出するので、呼気の勢いが強い場合でも分泌物が湿熱蓄積体６０に到達することが抑制される。
【０１２６】
また、第３の実施形態に係る呼吸用温湿度交換器１によれば、簡単な構成により外部に突出するのを抑制しつつ、湿熱蓄積体６０を通じて第１開口部２１と第４開口部３４Ａの間で呼吸気を流通させることができる。
その結果、容易に小型化するとともに患者が使用する際の引掛かり等を抑制することができる。
【０１２７】
また、第３の実施形態に係る呼吸用温湿度交換器１によれば、患者側管２０の第１開口部２１から湿熱蓄積体６０に至るまでに、第２開口部側管２０２の先端及び流通孔３５Ｈにおいて呼吸気の向きが折返すように変わるので、呼気とともに移動してきた痰等の分泌物は、慣性によって呼気に追従することが抑制されて、主として吐出物捕捉弁７０の切込み７２が開口して外部に排出され、または、吐出物捕捉弁７０の内側面に付着して効率的に捕捉することができる。更に、必要に応じて、吐出物捕捉弁７０に替えて、第１の実施形態に示した収納容器５０に交換することもできる。
【０１２８】
また、第３の実施形態に係る呼吸用温湿度交換器１によれば、吐出物捕捉弁７０がハウジング本体３０と着脱可能に構成されているので、分泌物が付着した吐出物捕捉弁７０を容易に取り外したり交換することができる。
【０１２９】
次に、図２１Ａ〜図２１Ｅを参照して、第３の実施形態に係る吐出物捕捉弁の変形例について説明する。
【０１３０】
まず、図２１Ａを参照して、第３の実施形態の第１変形例に係る吐出物捕捉弁について説明する。図２１Ａは、第３の実施形態の第１変形例に係る吐出物捕捉弁７０１を示す図である。図２１Ａにおいて、符号７０１は吐出物捕捉弁を、符号７２１は捕捉弁体シートを示している。捕捉弁体保持部材７１については、第３実施形態と同様であるので説明を省略する。
【０１３１】
捕捉弁体シート７２１は、図２１Ａに示すように、略円形状に形成されシリコーンゴム等、弾性を有する材料で構成されたシート本体７２Ａに、切込み７２１Ｃが形成されている。
切込み７２１Ｃは、平行に伸び互いに対向する一対の切込み７２１Ｈと、一対の切込み７２１Ｈの中央部同士を接続して伸びる切込み７２１Ｌとを有する略Ｈ字形状の構成とされている。
【０１３２】
第１変形例に係る吐出物捕捉弁７０１によれば、シート本体７２Ａに略Ｈ字形状の切込み７２１Ｃが形成された捕捉弁体シート７２１を備えているので、切込み７２１Ｃにより大きな開閉面積を確保することができ、開口時に切込み７２１Ｃによる舌片が大きく突出ことが抑制される。
【０１３３】
次に、図２１Ｂを参照して、第３の実施形態の第２変形例に係る吐出物捕捉弁について説明する。図２１Ｂは、第３の実施形態の第２変形例に係る吐出物捕捉弁７０２を示す図である。図２１Ｂにおいて、符号７０２は吐出物捕捉弁を、符号７２２は捕捉弁体シートを示している。捕捉弁体保持部材７１については、第３実施形態と同様であるので説明を省略する。
【０１３４】
捕捉弁体シート７２２は、図２１Ｂに示すように、略円形状に形成されシリコーンゴム等、弾性を有する材料で構成されたシート本体７２Ａに、切込み７２２Ｃが形成されている。
切込み７２２Ｃは、平行に伸び互いに対向する一対の切込みと、この一対の切込みの一端部同士を接続する切込みにより形成された略Ｃ字形状の構成とされている。
【０１３５】
第２変形例に係る吐出物捕捉弁７０２によれば、略Ｃ字状の切込み７２２Ｃを有していて、切込み７２２Ｃにより大きな開閉面積を確保することができるとともに、切込み７２１Ｃによる舌片を小さな呼気圧により開口することができる。
【０１３６】
次に、図２１Ｃを参照して、第３の実施形態の第３変形例に係る吐出物捕捉弁について説明する。図２１Ｃは、第３の実施形態の第３変形例に係る吐出物捕捉弁７０３を示す図である。図２１Ｃにおいて、符号７０３は吐出物捕捉弁を、符号７２３は捕捉弁体シートを示している。捕捉弁体保持部材７１については、第３実施形態と同様であるので説明を省略する。
【０１３７】
捕捉弁体シート７２３は、図２１Ｃに示すように、略円形状に形成されシリコーンゴム等、弾性を有する材料で構成されたシート本体７２Ａに、切込み７２３Ｃが形成されている。
切込み７２３Ｃは、図２１Ｃに示すように、例えば、シート本体７２Ａの中央部から四方に伸びる十字形状を形成する四つの切込み７２３Ｄ、７２３Ｇ、７２３Ｅ、７２３Ｆにより構成されている。
【０１３８】
第３変形例に係る吐出物捕捉弁７０３によれば、十字形状の切込み７２３Ｃを有していているので、切込み７２３Ｃによる舌片の突出をバランスよく四方に分散しつつ大きな開閉面積を確保することができる。また、それぞれの舌片が短いので、切込み７２３Ｃを安定して閉塞することができる。
【０１３９】
次に、図２１Ｄを参照して、第３の実施形態の第４変形例に係る吐出物捕捉弁について説明する。図２１Ｄは、第３の実施形態の第４変形例に係る吐出物捕捉弁７０４を示す図である。図２１Ｄにおいて、符号７０４は吐出物捕捉弁を、符号７２４は捕捉弁体シートを示している。捕捉弁体保持部材７１については、第３実施形態と同様であるので説明を省略する。
【０１４０】
捕捉弁体シート７２４は、図２１Ｄに示すように、略円形状に形成されシリコーンゴム等、弾性を有する材料で構成されたシート本体７２Ａに、切込み７２４Ｃが形成されている。
切込み７２４Ｃは、図２１Ｄに示すように、例えば、シート本体７２Ａの中央部から放射状に伸びる６つの切込み７２４Ｄ、７２４Ｊ、７２４Ｅ、７２４Ｈ、７２４Ｇ、７２４Ｆにより構成されている。
【０１４１】
第４変形例に係る吐出物捕捉弁７０４によれば、放射状の切込み７２４Ｃを有していているので、切込み７２４Ｃによる舌片の突出をバランスよく六方に分散しつつ大きな開閉面積を確保することができる。また、それぞれの舌片が短いので、切込み７３４Ｃを安定して閉塞することができる。なお、３つ、５つ、又は７つ以上の放射状の切込みにより構成してもよい。
【０１４２】
次に、図２１Ｅを参照して、第３の実施形態の第５変形例に係る吐出物捕捉弁について説明する。図２１Ｅは、第３の実施形態の第５変形例に係る吐出物捕捉弁７０５を示す図である。図２１Ｅにおいて、符号７０５は吐出物捕捉弁を、符号７２５は捕捉弁体シートを示している。捕捉弁体保持部材７１については、第３実施形態と同様であるので説明を省略する。
【０１４３】
捕捉弁体シート７２５は、図２１Ｅに示すように、略円形状に形成されシリコーンゴム等、弾性を有する材料で構成されたシート本体７２Ａに、切込み７２５Ｃが形成されている。
切込み７２５Ｃは、図２１Ｅに示すように、例えば、シート本体７２Ａの一方側から対向する他方側に伸びる２つの舌片と、この２つの舌片の間に形成され他方側から一方側に伸びる１つの舌片とを形成する略Ｍ字形状の構成とされている。
【０１４４】
第５変形例に係る吐出物捕捉弁７０５によれば、一端側と他端側から伸びる舌片によりバランスよく分散して排出することが可能である。
【０１４５】
なお、本発明は、上記実施の形態に限定されるものではなく、発明の趣旨を逸脱しない範囲において、種々の変更をすることが可能である。
【０１４６】
また、上記実施の形態においては、吐出物捕捉部材が、収納容器５０又は吐出物捕捉弁７０である場合について説明したが、呼吸流路（第１管路）２０Ｈと流通路（第２管路）５６との呼吸気の流通を可能にした状態で第３開口部３５Ａを閉塞することが可能な他の部材により吐出物捕捉部材を構成してもよい。
【０１４７】
また、上記第１、第２実施の形態においては、収納容器５０のネジ部５１Ａを保持壁部３５のネジ部３５Ｍに螺合して、収納容器５０が保持壁部３５に対して着脱可能に取付けられる場合について説明したが、例えば、ラッチ機構等により着脱可能に構成してもよい。
【０１４８】
また、上記実施の形態においては、患者側管２０が屈曲して形成され、第１開口部２１が、ハウジング本体３０のドーム部３２から斜めに傾斜される場合について説明したが、患者側管２０に屈曲部２４を設けない直管として、第１開口部２１がドーム部３２の頂部からスカート部３４と反対側に開口された直管状の呼吸用温湿度交換器とすることもできる。ここで、吸引窓を設けるかどうかは、任意に設定可能である。
【０１４９】
また、上記実施の形態においては、ハウジング本体３０に吸引窓１７を設ける場合について説明したが、吸引窓１７を設けるかどうかは任意に設定可能である。
【０１５０】
上記実施の形態においては、円形の吸引窓１７にフィルム状の平板基板１８Ｆに切込み１８Ｃ、１８１Ｃ、１８２Ｃ、１８３Ｃが形成された吸引窓シール部材１８、１８１、１８２、１８３が装着される場合について説明したが、吸引窓１７の形状は任意に設定することが可能である。
また、上記構成の吸引窓シール部材１８に代えて、周知の吸引窓シール部材を装着してもよい。
【０１５１】
また、上記実施の形態においては、柔軟性を有する平板面に開閉可能な切込みが形成された吸引窓シール部材として、フィルム状に形成された平板面に切込みが形成された吸引窓シール部材１８を用いる場合について説明したが、例えば、凹部を有するキャップ形状とされ底部に開閉可能な切込みが形成された平板面を有する吸引窓シール部材を適用してもよい。
【０１５２】
また、上記第１、第２実施形態においては、収納容器５０の底部に内方（第２開口部側）に向かって膨出する膨出部５５が形成されている場合について説明したが、膨出部５５を設けるかどうかは任意に設定することができる。また、膨出部５５に代えて、内方に向かって突出する多角錘、円錐状の凸部や、傾斜面を有する凸部、また板を十字に形成した凸部材等、種々の形態を形成してもよい。
【０１５３】
また、上記実施の形態においては、収納容器５０が湿熱蓄積体６０から第４開口部３４Ａ側に突出している場合について説明したが、収納容器５０が湿熱蓄積体６０の内周側に収納される構成としてもよい。
【０１５４】
また、上記実施の形態においては、スカート部３４が円筒形状に形成されていて、収納容器５０の底部の直径が、スカート部３４の先端に開口する第４開口部３４Ａの直径を超えない範囲で形成されている場合について説明したが、例えば、第４開口部３４Ａが円形以外（例えば、矩形をはじめとする多角形等）である場合に、収納容器５０の底部が第４開口部３４Ａを超えない範囲に設定してもよい。また、収納容器５０の底部が第４開口部３４Ａを超えない範囲に設定するかどうかは、任意に設定することができる。
【０１５５】
また、上記実施の形態においては、第２開口部２２から流出した呼気を湿熱蓄積体６０まで移動させる第２管路が、保持壁部３５に加えて保持壁部３５に保持された収納容器５０の筒状部５１により構成される場合について説明したが、第２管路が、例えば、保持壁部３５のみによって構成してもよいことはいうまでもない。
【０１５６】
また、上記実施の形態においては、流通路（第２管路）５６と第３管路３４Ｂとの流通を可能とする流通孔３５Ｈが、保持壁部３５の上部において連結部近傍の保持壁部３５の途中を貫通して形成される場合について説明したが、例えば、保持壁部３５とドーム部３２間に形成された間隙や保持壁部３５と収納容器５０の筒状部５１の双方を貫通して形成された第２開口部２２から湿熱蓄積体６０の第１端部６０Ａに呼気を流通可能とする孔により構成してもよい。
【０１５７】
上記第１、第２実施形態においては、湿熱蓄積体６０が、円筒形状に形成されている場合について説明したが、多角筒形状や、Ｃ字形状やＵ字形状のほか、ハウジング本体３０と収納容器５０の間に収納することが可能な任意の形状とすることができる。
【０１５８】
上記第３実施の形態においては、吐出物捕捉弁７０、７０１、７０２、７０３、７０４、７０５が略円形のシート本体７２Ａに切込み７２Ｂ、７２１Ｃ、７２２Ｃ、７２３Ｃ、７２４Ｃ、７２５Ｃが形成された捕捉弁体シート７２、７２１、７２２、７２３、７２４、７２５を備える場合について説明したが、捕捉弁体シートに形成する切込みについては任意に設定することが可能である。
【０１５９】
また、上記実施の形態においては、ハウジング本体３０のスカート部３４の第４開口部３４Ａ近傍に酸素供給用管路３７が形成されている場合について説明したが、酸素供給用管路３７を設けるかどうか、酸素供給用管路３７を設ける場合におけるスカート部３４に対する位置等は任意に設定することができる。
【０１６０】
また、第３実施の形態においては、吸用温湿度交換器１の吐出物捕捉弁７０の下側等にタオル等を設けて用いる場合について説明したが、吐出物捕捉弁７０の外方（例えば、下側）にビニール等袋等からなる収容部材を設ける構成としてもよい。
【０１６１】
また、上記実施の形態においては、気管切開チューブを接続部するための付勢手段が、第１開口部２１を構成する環状壁部２１Ａに複数のリング保持孔２１Ｈが形成され、リング状シリコーンゴム４４を用いる場合について説明したが、上記構成の付勢手段以外を用いて接続してもよい。
また、第１開口部２１に気管切開チューブの接続部を挿入することのみで装着してもよく、第１開口部２１における気管切開チューブの接続については、任意に設定することができる。
【０１６２】
＜実施例＞
以下、図２２を参照して、第１の実施形態に係る呼吸用温湿度交換器１の効果について説明する。
図２２は、本発明の効果を確認した検証結果を説明するための図であり、図２２（Ａ）、図２２（Ｂ）はそれぞれ従来製品に係る比較例１、比較例２の検証結果及び使用した呼吸用温湿度交換器の概略構成を示しており、図２２（Ｃ）は第１の実施形態に係る呼吸用温湿度交換器を実施例とする検証結果を示している。
【０１６３】
図２２に示した符号Ｍ１、Ｍ２、Ｍ３は、それぞれ比較例１、比較例２、実施例に係る呼吸用温湿度交換器を示している。また、図に示した矢印は吸引窓から流入する呼気及び流入した呼気の移動を示しており、矢印内に示された黒色の塗りつぶしは模擬痰を概念的に示している。
すなわち、白黒ストライプの矢印は、呼気が模擬痰を含んでいることを示しており、白抜きの矢印は模擬痰が除去された後の呼気を概念的に示している。
【０１６４】
検証実験は、それぞれの呼吸用温湿度交換器に湿熱蓄積体を取りつけて、患者側管から呼吸用温湿度交換器内に、咳を模したエアとともに模擬痰Ｗ（３ｍｌ）を噴出し、エレメントＳに付着した模擬痰Ｗ、及び吸引窓シール部材が装着された吸引窓をから外部に配置した受け皿（図では直線で表示）に吐出される模擬痰Ｗの付着状態により効果を確認した。
【０１６５】
（Ａ）比較例１は、従来タイプの呼吸用温湿度交換器Ｍ１を使用した例である。呼吸用温湿度交換器Ｍ１は、図２２（Ａ）に示すように、呼気の流入口と呼気が流出される流出口とは直交する構成とされており、吸引窓は流入口の向かい側の位置に形成されている。
また、吸引窓には、図１３（Ｃ）に示すような十字の切込みが形成された吸引窓シール部材Ｍ１１が配置されている。
流入口から噴射された咳を模したエアと模擬痰Ｗとの混合気体は、その多くがエレメントＳ側に移動した。
エレメントＳ側に移動した混合気体に含まれていた模擬痰Ｗは、混合気体がエレメントＳを通過する際にエレメントＳで濾過されて、エレメントＳの内側端面に付着し、または、エレメントＳに吸収された。
模擬痰ＷがエレメントＳの内側端面に付着し、または、エレメントＳに吸収された結果、エレメントＳは通気性を失い、逃げ場がなくなった残余の混合気体が吸引窓シール部材Ｍ１１を通過して、混合気体に含まれていた模擬痰Ｗが受け皿の広い範囲にわたって付着した。
【０１６６】
（Ｂ）比較例２は、従来タイプの呼吸用温湿度交換器Ｍ２を使用した例である。呼吸用温湿度交換器Ｍ２は、図２２（Ｂ）に示すように、流入口から流入した呼気が先端側で折り返して流出口から流出される構成とされていて、吸引窓は流入口の向かい側の位置に形成されている。吸引窓には、比較例１と同様に十字の切込みが形成された吸引窓シール部材Ｍ２１が配置されている。
流入口から噴射された咳を模したエアと模擬痰Ｗとの混合気体は、その多くがエレメントＳ側に移動した。
エレメントＳ側に移動した混合気体に含まれていた模擬痰Ｗは、混合気体がエレメントＳを通過する際にエレメントＳで濾過されて、エレメントＳの内側端面に付着し、または、エレメントＳに吸収された。
模擬痰ＷがエレメントＳの内側端面に付着し、または、エレメントＳに吸収された結果、エレメントＳは通気性を失い、逃げ場がなくなった残余の混合気体が吸引窓シール部材Ｍ２１を通過して、混合気体に含まれていた模擬痰Ｗが受け皿の広い範囲にわたって付着した。
【０１６７】
（Ｃ）実施例は、本発明の第１の実施形態に係る呼吸用温湿度交換器Ｍ３を使用した例である。呼吸用温湿度交換器Ｍ３は、図２２（Ｃ）に示すように、患者側管の流入口から流入した呼気は屈曲部で方向を変化して移動して収納容器内に開放され、その後、折返して保持壁部内を移動して流通孔を通じて湿熱蓄積体に到達する。また、吸引窓は屈曲部の流入口の向かい側に形成されている。なお、吸引口に装着された吸引窓シール部材Ｍ３１は、上記第１実施形態において示した吸引窓シール部材１８に代えて、比較例１と同様に十字の切込みが形成されたタイプのものを使用した。
吸引窓から噴出された咳を模したエアと模擬痰Ｗとの混合気体は、混合気体の勢いで舞い上がった模擬痰Ｗのごく一部のみが、エレメントＳの内側端面に付着した。
また、混合気体による内圧ととともに吸引窓Ｍ３１を通過して受け皿まで到達した模擬痰Ｗが僅かに認められたものの、収納容器に移動した混合器は収納容器内で気液分離されて模擬痰Ｗのほとんどが収納容器に捕捉された。
模擬痰Ｗのほとんどが収納容器に捕捉された結果、エレメントＳは通気性の低下がほとんどなく、充分な通気性が保持されて、大きな効果が確保されることが確認できた。
【産業上の利用可能性】
【０１６８】
この発明に係る呼吸用温湿度交換器によれば、呼気とともに吐出された分泌物が湿熱蓄積体に付着するのを抑制して、湿熱蓄積体を長時間安定して使用することができるので、産業上利用可能である。
【符号の説明】
【０１６９】
１、１Ａ、１Ｂ  呼吸用温湿度交換器
１０  ハウジング
１７  吸引窓
１７Ｐ  平坦凹部
１８  吸引窓シール部材
１８Ｆ  平板基板
１８Ｃ、１８１Ｃ、１８２Ｃ、１８３Ｃ  切込み
１９  キャッププレート
１９Ａ  吸引窓
２０  患者側管（第１管）
２０１  第１開口部側管
２０２  第２開口部側管
２０Ａ  拡径部
２０Ｈ  呼吸流路（第１管路）
２１  第１開口部
２１Ａ  環状壁部
２１Ｈ  リング保持孔
２１Ｔ  テーパ部
２２  第２開口部
２４  屈曲部
３０  ハウジング本体
３２  ドーム部
３４  スカート部
３４Ａ  第４開口部
３５  保持壁部（第２管）
３５Ａ  第３開口部
３４Ｂ  第３管路
３５Ｍ  ネジ部
３５Ｈ  流通孔
３７  酸素供給用管路
４４  リング状シリコーンゴム
５０  収納容器（吐出物捕捉部材）
５１  筒状部
５１Ａ  ネジ部   
５２  収納部
５５  膨出部（突出部）
５６  流通路（第２管路）
６０  湿熱蓄積体
６０Ａ  第１端部
６０Ｂ  第２端部
７０、７０１、７０２、７０３、７０４、７０５  吐出物捕捉弁（吐出物捕捉部材）
７１  捕捉弁体保持部材
７２  捕捉弁体シート
７２Ａ  シート本体
７２Ｂ、７２１Ｃ、７２２Ｃ、７２３Ｃ、７２４Ｃ、７２５Ｃ  切込み
１４０  吸引窓密封蓋
【図１】
2017113161.tif 000003
【図２】
2017113161.tif 000004
【図３】
2017113161.tif 000005
【図４】
2017113161.tif 000006
【図５】
2017113161.tif 000007
【図６】
2017113161.tif 000008
【図７】
2017113161.tif 000009
【図８】
2017113161.tif 000010
【図９】
2017113161.tif 000011
【図１０】
2017113161.tif 000012
【図１１】
2017113161.tif 000013
【図１２】
2017113161.tif 000014
【図１３】
2017113161.tif 000015
【図１４】
2017113161.tif 000016
【図１５】
2017113161.tif 000017
【図１６】
2017113161.tif 000018
【図１７】
2017113161.tif 000019
【図１８】
2017113161.tif 000020
【図１９】
2017113161.tif 000021
【図２０】
2017113161.tif 000022
【図２１Ａ】
2017113161.tif 000023
【図２１Ｂ】
2017113161.tif 000024
【図２１Ｃ】
2017113161.tif 000025
【図２１Ｄ】
2017113161.tif 000026
【図２１Ｅ】
2017113161.tif 000027
【図２２】
2017113161.tif 000028